(57)【要約】【課題】外壁パネルの固定強度や壁体の強度を十分に得ることができ、また外部からの負荷が原因で生じる外壁パネルのひび割れやクラックを有効に防止することもでき、合わせて通気性を十分に確保することができる安価な大壁意匠の鉄骨系外壁構造を提供する。【解決手段】鉄骨系構造材５における縦構造材としての軸組材２および横構造材としての梁３および土台４の外側に防水透湿シート１０を張り付け、この防水透湿シート１０の上から前記鉄骨系構造材５における縦構造材としての軸組材２に、木質単板を積層接着して得られた木質積層材からなる所定の大きさの通気受材１１を取り付け、この通気受材１１の上に外壁パネル１２を張り付けて、この外壁パネル１２と前記防水透湿シート１０との間に通気路１３を設けた。【選択図】図１
2007100445.tif 000002
【特許請求の範囲】
【請求項１】
鉄骨系構造材、防水透湿シート、通気受材及び外壁パネルを含んでなり、通気構法を施した鉄骨系外壁構造であって、
前記鉄骨系構造材における縦構造材及び横構造材の外側に防水透湿シートが張り付けられ、この防水透湿シートの上から前記鉄骨系構造材における縦構造材及び横構造材の少なくとも一方に、木質単板を積層接着して得られた木質積層材からなる所定の大きさの通気受材が取り付けられ、この通気受材の上に外壁パネルが張り付けられて、この外壁パネルと前記防水透湿シートとの間に通気路が設けられてなる
ことを特徴とする鉄骨系外壁構造。
【請求項２】
前記鉄骨系構造材における、所定間隔毎に設けられた縦構造材のなかの一部又は全部が複数本並設して構成され、この複数本並設して構成された縦構造材を跨ぐように前記通気受材が取り付けられ、隣接する一の外壁パネルと他の外壁パネルの接合部が前記通気受材の幅の範囲内に位置するように張り付けられている
ことを特徴とする請求項１に記載の鉄骨系外壁構造。
【請求項３】
前記鉄骨系構造材の外側と前記外壁パネルの裏面との間における、前記縦構造材及び前記横構造材の少なくとも一方と前記通気受材との間、前記外壁パネルと前記通気受材との間、前記通気受材を構成する木質積層材の木質単板と木質単板の間の、何れか一箇所以上に、弾性体が設けられている
ことを特徴とする請求項１又は２のいずれかに記載の鉄骨系外壁構造。
【請求項４】
前記通気受材を構成する木質積層材が、前記木質単板の繊維方向を互いに直交させて複数枚積層接着した合板である
ことを特徴とする請求項１，２又は３のいずれかに記載の鉄骨系外壁構造。
【請求項５】
前記通気受材を構成する木質積層材が、前記木質単板の繊維方向を互いに平行させて複数枚積層接着した平行合板で、該平行合板を構成する木質単板のうち、少なくとも一枚の木質単板の繊維方向を他の木質単板の繊維方向と直交させた平行合板である
ことを特徴とする請求項１，２又は３のいずれかに記載の鉄骨系外壁構造。
【請求項６】
前記通気受材を構成する木質積層材の厚さが、７〜３０ｍｍである
ことを特徴とする請求項１，２，３，４又は５のいずれかに記載の鉄骨系外壁構造。
【発明の詳細な説明】
【技術分野】
【０００１】
本発明は、外壁内部に結露が発生することを防止する通気構法を施した鉄骨系外壁構造に関し、しかも面内剪断力の大きな耐久性のある鉄骨系外壁構造に関する。
【背景技術】
【０００２】
外壁内部に結露が発生することを防止する通気構法を施した鉄骨系外壁構造として、図６に示す鉄骨系外壁構造がある。この鉄骨系外壁構造５０は、縦構造材である鉄骨柱等の軸組材５１と、横構造材である梁５２や土台（図示省略）とからなる鉄骨系構造材５３を備えている。縦構造材である前記軸組材５１は、正面から見た断面視Ｌ形の取付具５４によって横構造材である前記梁５２や前記土台に固定されている。前記鉄骨系構造材５３の内部には、断熱材５５が設けられている。そして、前記鉄骨系構造材５３における前記軸組材５１、前記梁５２及び前記土台の室外側に、下地板５６として、ＯＳＢ等のボード類や構造用合板等が張り付けられ、その上が湿気は通すが水分は通さない防水透湿シート５７で覆われ、この防水透湿シート５７の上から、木材無垢からなる通気受材５８が取り付けられている。さらに、前記通気受材５８の上にサイディング等の外壁パネル５９が張り付けられて、この外壁パネル５９と前記防水透湿シート５７との間に通気路６０が形成されている。
【０００３】
また、通気構法を施した他の鉄骨系外壁構造として、従来、縦構造材である鉄骨柱等の軸組材に、外壁パネルを直張りする、簡易で安価な構造があった。このように縦構造材である軸組材に、外壁パネルを直張りする鉄骨系外壁構造を図７に示す。この図７に示す鉄骨系外壁構造７０は、鉄骨系構造材５３の室外側に下地板を備えておらず、前記鉄骨系構造材５３と断熱材５５の室外側が防水透湿シート５７で覆われ、この防水透湿シート５７の上から軸組材５１に通気受材５８が取り付けられ、さらにこの通気受材５８の上に外壁パネル５９が張り付けられている。
【０００４】
また、縦構造材である鉄骨柱等の軸組材に、外壁パネルを直張りする他の鉄骨系外壁構造として、図８に示す鉄骨系外壁構造もある。この図８に示す鉄骨系外壁構造８０は、縦構造材である軸組材５１に留付金具８１を介して外壁パネル５９を固定する構造になっており、内装材８２の裏側に透湿シート８３を介して配設された断熱材５５の室外側が防水透湿シート５７で覆われ、この防水透湿シート５７が前記留付金具８１で挟み付けられて前記軸組材５１に固定され、さらに前記留付金具８１によって、前記外壁パネル５９が前記防水透湿シート５７から浮き上がらせた状態で固定されて、前記防水透湿シート５７と前記外壁パネル５９との間に通気路６０が形成されている。
【０００５】
さらに、特許文献１には、縦構造材である軸組材に留付金具を介して外壁パネルを直張りする鉄骨系外壁構造として、縦構造材である軸組材のフランジ端部に弾性力で嵌合保持される弾性挟持具によって防水透湿シートを前記鉄骨柱のフランジ端部に挟み込むことにより、防水透湿シートと外壁パネルとの間に通気路を形成する鉄骨系外壁構造が開示されている。
【特許文献１】特開平８−３１２０１５号公報
【発明の開示】
【発明が解決しようとする課題】
【０００６】
しかしながら、ボード類や構造用合板等の前記下地板５６を有する図６に示す鉄骨系外壁構造５０は、前記下地板５６の透湿抵抗が大きいので、壁体内の水蒸気の放出速度が遅く、このため壁体内に結露が発生したり、下地板５６などの壁体構造部材が湿気のために腐朽するなどのおそれがあり、通気性が劣るという問題がある。
【０００７】
一方、下地板を有さず、縦構造材である鉄骨柱等の前記軸組材５１に前記外壁パネル５９を直張りする図７に示す鉄骨系外壁構造７０は、下地板を有さない分、通気性が良好で結露の発生を防止できるが、木材の割れ、節、腐朽箇所等の欠点箇所において、木材の無垢材からなる前記通気受材５８が破損しやすく、前記外壁パネル５９の固定強度が劣り、また壁体の強度（面内剪断力）が低く、前記外壁パネル５９の表面のモルタルや塗装面、又はその他の化粧面にひび割れやクラックが発生しやすい。
【０００８】
また、前記留付金具８１によって前記外壁パネル５９を前記防水透湿シート５７から浮き上がらせた状態で固定して、前記防水透湿シート５７と前記外壁パネル５９との間に前記通気路６０を形成した図８に示す鉄骨系外壁構造８０は、前記防水透湿シート５７と前記外壁パネル５９の間の通気路を形成する空隙が少なく、通気性が不十分になる可能性があり、また前記外壁パネル５９に風圧や地震等によって外部から負荷が加わった時に、応力が前記外壁パネル５９と前記留付金具８１との接合固定箇所に集中し、前記外壁パネル５９にクラックが生じやすいという問題がある。
【０００９】
一方、特許文献１に記載の鉄骨系外壁構造は、縦構造材である軸組材表面に留付金具を介して外壁パネルを直張り方式で固定しているので、前記留付金具８１によって前記外壁パネル５９を前記防水透湿シート５７から浮き上がらせた状態で固定している図８に示す鉄骨系外壁構造８０に比べると、外部からの負荷に対して耐力が向上する。しかし、特許文献１に記載の鉄骨系外壁構造は、縦構造材である軸組材が２本並設されている箇所において、隣接する一の外壁パネルと他の外壁パネルとの接合部があり、この接合部では、各軸組材のそれぞれに１個ずつ相互に分離した状態で別体として留付金具が取り付けられている。そして、前記留付金具によって、前記隣接する一の外壁パネルと他の外壁パネルが別体として前記各軸組材に固定されているため、これら一の外壁パネルと他の外壁パネルとの接合部に、外部から負荷が加わった時、各外壁パネルの動きが相互にバラバラで異なった動きをすることによって、前記接合部において一の外壁パネルと他の外壁パネルとの間にズレが発生しやすくなる。このように一の外壁パネルと他の外壁パネルとの間にズレが発生することによって、外壁パネル表面に細かいクラックが生じる危険性がある。
【００１０】
また、特許文献１に記載の鉄骨系外壁構造は、通気路において、縦構造材である軸組材に対し、断面で見て弾性挟持具のある側は通気のための空隙を十分確保することができるが、弾性挟持具がない側は、通気のための空隙が断面視三角形状になって狭くなっている部分があり、通気性が十分とは言えない。
【００１１】
さらに、従来技術で示した各鉄骨系外壁構造は、外壁パネルや通気受材が木質系材料で構成されており、鋼材で構成されている鉄骨系構造材とは材質が異なっているので、まわりの湿気に対する材料の伸縮などの動きが両者において異なる。すなわち、木質系材料で構成されている外壁パネルや通気受材においては、とくに環境湿度等の変化による木材特有の吸放湿作用による木質材料の伸縮作用が生じるのに対し、鋼材で構成されている鉄骨系構造材においては、湿気による寸法変化が生じない。したがって、鉄骨系構造材と外壁パネル及び通気受材との間において、ストレスが発生し、外壁パネルや通気受材等に無理な応力が加わり、ひび割れやクラックの原因になっていた。
【００１２】
本発明は、以上のような事情に鑑みてなされたもので、その解決しようとする課題は、外壁パネルの固定強度や壁体の強度を十分に得ることができ、また外部からの負荷が原因で生じる外壁パネルのひび割れやクラックを有効に防止することもでき、合わせて通気性を十分に確保することができる安価な大壁意匠の鉄骨系外壁構造を提供することにある。
【００１３】
本発明の他の目的は、隣接する一の外壁パネルと他の外壁パネルの間の接合部におけるズレや固定不足によって生じる外壁パネル表面のひび割れやクラックの発生を防止することができる安価で高耐力な大壁意匠の鉄骨系外壁構造を提供することにある。
【００１４】
さらに、本発明の他の目的は、風圧及び地震等による外部からの負荷がかかったり、湿気による寸法変化の違いにより、鋼材と木質系材料との間でストレスが発生したりしても、木質系材料にひび割れやクラックが生じることを防止することができる鉄骨系外壁構造を提供することにある。
【課題を解決するための手段】
【００１５】
前記課題を解決するためになされた請求項１に記載の発明は、鉄骨系構造材、防水透湿シート、通気受材及び外壁パネルを含んでなり、通気構法を施した鉄骨系外壁構造であって、前記鉄骨系構造材における縦構造材及び横構造材の外側に防水透湿シートが張り付けられ、この防水透湿シートの上から前記鉄骨系構造材における縦構造材及び横構造材の少なくとも一方に、木質単板を積層接着して得られた木質積層材からなる所定の大きさの通気受材が取り付けられ、この通気受材の上に外壁パネルが張り付けられて、この外壁パネルと前記防水透湿シートとの間に通気路が設けられてなることを特徴とする。
【００１６】
このような請求項１に記載の発明では、前記通気受材が、木質単板を積層接着して得られた木質積層材で構成されているので、前記通気受材は、強度、耐久性に優れており、木材の割れ、節、腐朽箇所等の欠点箇所において破損しにくく、前記外壁パネルの十分な固定強度を有し、また十分な壁体の強度も得られるので外部からの負荷が原因で生じる外壁パネルのひび割れやクラックが有効に防止される。さらに、前記通気受材により通気路が十分に確保されるうえ、下地板が省けるので、これによる透湿抵抗がなくなり、壁体内の水蒸気を前記防水透湿シートを通過させて容易にかつ確実に屋外へ放出することが可能になり、通気性を十分に確保することができ、壁体内の結露の発生を有効に防止できる。
【００１７】
請求項２に記載の発明は、請求項１に記載の前記鉄骨系構造材における、所定間隔毎に設けられた縦構造材のなかの一部又は全部が複数本並設して構成され、この複数本並設して構成された縦構造材を跨ぐように前記通気受材が取り付けられ、隣接する一の外壁パネルと他の外壁パネルの接合部が前記通気受材の幅の範囲内に位置するように張り付けられていることを特徴とする。
【００１８】
このような請求項２に記載の鉄骨系外壁構造では、木質積層材からなる前記通気受材が、強度、耐久性に優れ、しかも複数本並設して構成された縦構造材を跨ぐように前記通気受材が取り付けられ、隣接する一の外壁パネルと他の外壁パネルの接合部が前記通気受材の幅の範囲内に位置するようにしているので、並設された前記縦構造材、前記通気受材、隣接する一の外壁パネルと他の外壁パネルが一体になり、前記外壁パネルの接合部におけるズレや固定不足によって生じる外壁パネル表面のひび割れやクラックが防止される。
【００１９】
請求項３に記載の発明は、請求項１又は２のいずれかに記載の前記鉄骨系構造材の外側と前記外壁パネルの裏面との間における、前記縦構造材及び前記横構造材の少なくとも一方と前記通気受材との間、前記外壁パネルと前記通気受材との間、前記通気受材を構成する木質積層材の木質単板と木質単板の間の、何れか一箇所以上に、弾性体が設けられていることを特徴とする。
【００２０】
このような請求項３に記載の鉄骨系外壁構造では、風圧及び地震等による外部からの負荷がかかったり、あるいは前記外壁パネルや前記通気受材が、前記鉄骨系構造材とは材質が異質で湿気に対する寸法変化挙動が全く異なり、これによって前記鉄骨系構造材と前記外壁パネル及び前記通気受材との間でストレスが発生したりしても、前記鉄骨系構造材と前記外壁パネルの間に設けられている前記弾性体の働きで、前記通気受材や前記外壁パネルに加わる無理な応力や負荷が吸収緩和され、前記通気受材及び前記外壁パネルのひび割れやクラックが有効に防止される。
【００２１】
請求項４に記載の発明は、請求項１，２又は３のいずれかに記載の前記通気受材を構成する木質積層材が、前記木質単板の繊維方向を互いに直交させて複数枚積層接着した合板であることを特徴とする。
【００２２】
このような請求項４に記載の鉄骨系外壁構造では、前記通気受材を構成する木質積層材が、前記木質単板の繊維方向を互いに直交させて複数枚積層接着した合板からなるので、木質材料の含水率変動に伴う前記通気受材自体の反りや伸縮や変形が生じにくく、前記外壁パネルの固定強度や壁体の強度が十分に得られるとともに、隣接する一の外壁パネルと他の外壁パネルとの接合部におけるズレや固定不足によって生じる外壁パネル表面のクラック防止にとって、よりいっそう好適である。
【００２３】
請求項５に記載の発明は、請求項１，２又は３のいずれかに記載の前記通気受材を構成する木質積層材が、前記木質単板の繊維方向を互いに平行させて複数枚積層接着した平行合板で、該平行合板を構成する木質単板のうち、少なくとも一枚の木質単板の繊維方向を他の木質単板の繊維方向と直交させた平行合板であることを特徴とする。
【００２４】
このような請求項５に記載の鉄骨系外壁構造では、前記通気受材を構成する木質積層材は、繊維方向を他の木質単板と直交させた木質単板を有するので、全ての木質単板の繊維方向が平行である木質積層材に比べて、通気受材の含水率変動に伴う反りや伸縮や変形がよりいっそう少なく安定したものになり、外壁パネルの固定強度や壁体の強度が十分に得られるとともに、隣接する一の外壁パネルと他の外壁パネルとの接合部におけるズレや固定不足によって生じる外壁パネル表面のクラック防止にとって、よりいっそう好適である。
【００２５】
請求項６に記載の発明は、請求項１，２，３，４又は５のいずれかに記載の前記通気受材を構成する木質積層材の厚さが、７〜３０ｍｍであることを特徴とする。
【００２６】
このような請求項６に記載の鉄骨系外壁構造では、前記木質積層材の厚さを７ｍｍ以上とすることで、外壁パネルの固定強度や壁体の強度が十分に得られるとともに、隣接する一の外壁パネルと他の外壁パネルとの接合部におけるズレや固定不足によって生じる外壁パネル表面のクラック防止にとって好適であり、また前記木質積層材の厚さを３０ｍｍ以下とすることにより、外壁構造の軽量化を図ることができる。
【発明の効果】
【００２７】
請求項１に記載の発明によれば、前記鉄骨系構造材における縦構造材及び横構造材の外側に防水透湿シートが張り付けられ、この防水透湿シートの上から前記鉄骨系構造材における縦構造材及び横構造材の少なくとも一方に、木質単板を積層接着して得られた木質積層材からなる所定の大きさの通気受材が取り付けられ、この通気受材の上に外壁パネルが張り付けられて、この外壁パネルと前記防水透湿シートとの間に通気路が設けられてなるので、外壁パネルの固定強度や壁体の強度を十分に得ることができ、また外部からの負荷が原因で生じる外壁パネルのひび割れやクラックを有効に防止することもでき、合わせて通気性を十分に確保することができ、壁体内の結露の発生を有効に防止できる安価な大壁意匠の鉄骨系外壁構造を得ることができる。
【００２８】
請求項２に記載の発明によれば、複数本並設して構成された縦構造材を跨ぐように前記通気受材が取り付けられ、隣接する一の外壁パネルと他の外壁パネルの接合部が前記通気受材の幅の範囲内に位置するように張り付けられてなるので、隣接する一の外壁パネルと他の外壁パネルの間の接合部におけるズレや固定不足によって生じる外壁パネル表面のひび割れやクラックを防止することができる安価で高耐力な大壁意匠の鉄骨系外壁構造を得ることができる。
【００２９】
請求項３に記載の発明によれば、前記鉄骨系構造材と前記外壁パネルの間に弾性体を設けることにより、風圧及び地震等による外部からの負荷がかかったり、あるいは前記外壁パネルや前記通気受材が、前記鉄骨系構造材とは材質が異質で湿気に対する寸法変化挙動が全く異なり、これによって前記鉄骨系構造材と前記外壁パネル及び前記通気受材との間でストレスが発生したりしても、前記通気受材や前記外壁パネルに加わる無理な応力や負荷が吸収緩和され、前記通気受材及び前記外壁パネルのひび割れやクラックを有効に防止することができる。
【００３０】
請求項４，５に記載の発明によれば、前記外壁パネルの固定強度や壁体の強度を十分に得ることができるとともに、隣接する一の外壁パネルと他の外壁パネルとの接合部におけるズレや固定不足によって生じる外壁パネル表面のクラック防止効果を、よりいっそう好適に得ることができる。
【００３１】
請求項６に記載の発明によれば、外壁パネルの固定強度や壁体の強度を十分に得ることができるとともに、隣接する一の外壁パネルと他の外壁パネルとの接合部におけるズレや固定不足によって生じる外壁パネル表面のクラック防止効果を得ることができ、また外壁構造の軽量化を図ることができる。
【発明を実施するための最良の形態】
【００３２】
以下、本発明に係る鉄骨系外壁構造の実施の形態の一例について説明する。  
まず、実施の形態の第一例について説明する。図１は実施の形態の第一例の鉄骨系外壁構造を示す正面図、図２は図１に示す鉄骨系外壁構造のＡ−Ａ線断面図、図３は図２の要部拡大断面図である。
【００３３】
第一例の鉄骨系外壁構造１は、鉄骨系軸組工法住宅の通気構法を施した鉄骨系外壁構造であり、縦構造材としての軸組材２と、横構造材としての梁３及び土台４とで構成される鉄骨系構造材５を備えている。
【００３４】
縦構造材である前記軸組材２としては、ＪＩＳで規定される構造用軽量形鋼が用いられ、本例では断面視Ｃ形の軽溝形鋼又はリップ溝形鋼が用いられている。また、横構造材である前記梁３及び前記土台４としては、ＪＩＳで規定される構造用軽量形鋼が用いられ、本例では断面視Ｈ形のＨ形鋼が用いられている。ただし、前記軸組材２、前記梁３及び前記土台４に用いられる軽量形鋼の断面形状として、本例に示すような断面視Ｃ形及び断面視Ｈ形以外に断面視正方形や断面視長方形等の矩形のものも好適なものとして例示できる。また、前記軸組材２、前記梁３及び前記土台４は、前記した鋼材以外の鋼材で構成されていてもよい。
【００３５】
横構造材としての前記土台４は、基礎６の上に設置されており、所定の上下間隔をあけて横構造材としての前記梁３が設けられている。前記梁３及び前記土台４は、断面視Ｈ形のＨ形鋼の略平行な二面を正面から見て上面及び下面になるようにして所定位置に取り付けられている。前記土台４は、前記基礎６にアンカーボルト等（図示省略）を用いて取り付けられており、左右の出隅、入り隅等（図示省略）は、前記梁３及び前記土台４と同様のＨ形鋼が用いられて正面視矩形の枠体（図示省略）が構成されている。本例では、前記梁３は１階の梁が図示されているが、２階建て住宅の場合は、１階の梁３の上方に所定の上下間隔をあけて、２階の梁（図示省略）が設けられる。
【００３６】
縦構造材としての前記軸組材２は、断面視Ｃ形の軽溝形鋼の、開口されていない３面のうち、略平行な２面が正面から見て前面及び背面になるように、すなわち断面視Ｃ形の開口部が正面に向かって右側に向くようにして、前記枠体の中に所定の間隔をあけて（本例では約４５０ｍｍ間隔）複数本上下方向に単体で設けられている。ただし、前記軸組材２は、その開口部が正面に向かって左側に向いていてもよい。また、前記軸組材２は、その開口部が各軸組材２毎に正面に向かって右側と左側に交互に向くようにして設けられていてもよく、このように前記軸組材２の開口部が、各軸組材２毎に正面に向かって右側と左側に交互に向くようにして設けられていると、前記鉄骨系構造材５全体の強度バランスにとって好適である。
【００３７】
縦構造材としての前記軸組材２は、取付具７を用いて横構造材としての前記梁３及び土台４に取り付けられている。前記取付具７としては、本例では６５×６５ｍｍで厚み約５ｍｍの寸法である正面から見た断面視Ｌ形のアングルが用いられている。
【００３８】
前記軸組材２の取付例について、前記梁３と前記土台４の間の軸組材２を例にして具体的に説明する。前記梁３と前記土台４の間の前記軸組材２の上端面側は、断面視Ｈ形からなるＨ形鋼の前記梁３の略平行な二面のうちの下面に当接するようにして、前記取付具７を用いて取り付けられている。前記取付具７は、前記梁３の下面と前記軸組材２の上端部の側面（開口していない側の側面）に当接させて、リベット８で取り付けられている。
【００３９】
また、前記軸組材２の下端面側は、断面視Ｈ形からなるＨ形鋼の前記土台４の略平行な二面のうちの上面に当接するようにして前記取付具７を用いて取り付けられている。前記取付具７は、前記土台４の上面と前記軸組材２の下端部の側面（開口していない側の側面）に当接させ、リベット８を用いて取り付けられている。なお、前記梁３及び前記土台４と前記軸組材２との固定は、ボルト止め、溶接等による固定等も可能である。
【００４０】
前記のようにして構成された鉄骨系構造材５の内部には、必要に応じ断熱材９が設けられ、この断熱材９及び前記鉄骨系構造材５の外面側には、防水透湿シート１０が張り付けられている。前記防水透湿シート１０は、湿気は通すが水分は通さない性質を有するシートであり、この防水透湿シート１０として、たとえばデュポン社製の「タイベック」等を挙げることができる。前記防水透湿シート１０は、本例では前記軸組材２の外面側に両面接着テープ（図示省略）又はウレタン系の接着剤（図示省略）を塗布して張り付けられている。ただし、前記防水透湿シート１０の張り付け方法はこれ以外の方法であってもよい。
【００４１】
前記軸組材２の上には、前記防水透湿シート１０を介して通気受材１１が設けられている。そして、前記通気受材１１の上に、外壁パネル１２が固定されており、前記通気受材１１により前記外壁パネル１２の裏面と前記防水透湿シート１０の間に通気路１３が形成されている。壁体内の空気は、前記通気路１３を通って、この通気路１３の端部（図示省略）から外部へ排出され、壁体内の結露が防止される。
【００４２】
前記通気受材１１は、木質単板を積層接着して得られた木質積層材で構成されている。前記通気受材１１が、従来のように木材無垢で構成される通気受材であると、木材の割れ、節、腐朽箇所等の欠点箇所において破損しやすく、前記外壁パネル１２の固定強度が劣り、また壁体の強度（面内剪断力）が低く、強度的に問題があるので、外力による負荷が壁体にかかると、壁体そのものに歪みが生じ、前記外壁パネル１２の表面のモルタルや、塗装面又はその他の化粧面にひび割れやクラックが発生しやすくなり、大きな問題点となる。しかし、本発明の木質積層材からなる前記通気受材１１を用いると、この通気受材１１は、木材の割れ、節、腐朽箇所等の欠点箇所において破損しにくくなって前記外壁パネル１２の固定強度が向上し、また壁体強度が向上して前記外壁パネル１２の表面にクラックが発生するおそれがない。
【００４３】
前記通気受材１１を構成する木質積層材としては、奇数枚又は偶数枚からなる複数枚の木質単板を、その繊維方向を互いに直交させるようにして接着剤で積層接着して得られる合板を例示できる。このように、前記通気受材１１を構成する木質積層材が、前記木質単板の繊維方向を互いに直交させて複数枚積層接着した合板からなると、木質材料の含水率変動に伴う前記通気受材１１自体の反りや伸縮や変形が生じにくく、前記外壁パネル１２の固定強度や壁体の強度が十分に得られるとともに、隣接する一の外壁パネル１２と他の外壁パネル１２との接合部におけるズレや固定不足によって生じる外壁パネル１２表面のクラック防止にとって、よりいっそう好適である。
【００４４】
また、前記通気受材１１を構成する木質積層材の他の例として、複数枚の木質単板を、その繊維方向を互いに平行させるようにして接着剤で積層接着して得られる平行合板で、この平行合板を構成する木質単板のうち、少なくとも一枚の木質単板の繊維方向を、他の木質単板の繊維方向と直交させた平行合板を例示できる。このように、前記通気受材１１を構成する木質積層材は、繊維方向を他の木質単板と直交させた木質単板を有するので、全ての木質単板の繊維方向が平行である木質積層材に比べて、前記通気受材１１の含水率変動に伴う反りや伸縮や変形がよりいっそう少なく安定したものになり、前記外壁パネル１２の固定強度や壁体の強度が十分に得られるとともに、隣接する一の外壁パネル１２と他の外壁パネル１２との接合部におけるズレや固定不足によって生じる外壁パネル１２表面のクラック防止にとって、よりいっそう好適である。
【００４５】
さらに、前記通気受材１１を構成する木質積層材の他の例としては、複数枚の木質単板を、その繊維方向を互いに平行させるようにして接着剤で積層接着して得られる平行合板を例示できる。
【００４６】
前記通気受材１１を構成する木質積層材の木質単板の樹種としては、ラワン、ジョンコン、メランティー、カポール、アピトン等の南洋材が好適であるが、これらの樹種に限られるものではない。また、木質単板の積層用接着剤としては、ユリア系樹脂からなる通常の合板用接着剤を用いてもよいが、耐水性能を考慮すれば、レゾルシノール樹脂系接着剤、フェノール樹脂系接着剤、メラミン樹脂系接着剤、ユリアメラミン共縮合樹脂系接着剤又はその他の耐水性接着剤を用いるとよい。もちろん、これらの接着剤以外の接着剤を用いてもよい。
【００４７】
前記通気受材１１を構成する木質積層材の寸法は、厚さが約７ｍｍ〜３０ｍｍ程度であり、また幅寸法については、前記軸組材２の幅寸法に見合う寸法になっていればよい。前記木質積層材の厚さを７ｍｍ以上とすることで、前記外壁パネル１２の固定強度や壁体の強度を十分に得ることができるとともに、隣接する一の外壁パネル１２と他の外壁パネル１２との接合部におけるズレや固定不足によって生じる外壁パネル１２表面のクラック防止にとって好適であり、また前記木質積層材の厚さを３０ｍｍ以下とすることにより、外壁構造の軽量化を図ることができる。
【００４８】
前記通気受材１１は、両面接着テープ（図示省略）又はウレタン系接着剤（図示省略）と取付ネジ１４とを併用して、前記軸組材２の上に前記防水透湿シート１０を介して取り付けられている。このように前記両面接着テープ又は前記ウレタン系接着剤と前記取付ネジ１４とを併用することにより、前記通気受材１１を強固に取り付けることができる。ただし、前記通気受材１１は、前記両面接着テープ又は前記ウレタン系接着剤を用いず、前記取付ネジ１４のみで取り付けられていてもよい。また、前記取付ネジ１４の代わりにボルト及びナット（図示省略）が用いられていてもよい。もちろん、前記通気受材１１はこれ以外の方法で取り付けられていてもよい。
【００４９】
前記取付ネジ１４として、タッピングネジを用いれば、軽量形鋼からなる前記軸組材２に下穴があいていなくても、木質積層材からなる前記通気受材１１、前記防水透湿シート１０、及び軽量形鋼からなる前記軸組材２を貫通して強固に取り付け固定することができる。前記取付ネジ１４の取付けピッチは、１５０ｍｍ〜３００ｍｍ程度が好適である。ただし、この取付けピッチに限られるものではない。
【００５０】
前記外壁パネル１２は、取付ネジ１５を用いて前記軸組材２に取り付け固定されている。前記取付ネジ１５としては、前記取付ネジ１４と同様、タッピングネジを用いることにより、前記外壁パネル１２、前記通気受材１１、前記防水透湿シート１０及び軽量形鋼からなる前記軸組材２を貫通して強固に取り付け固定することができる。この場合の前記取付ネジ１５の取付けピッチは、約１００ｍｍ〜２００ｍｍ程度が好適である。ただし、この取付けピッチに限られるものではない。
【００５１】
前記外壁パネル１２は、前記取付ネジ１５の代わりに釘（図示省略）で固定されていてもよい。さらに、前記外壁パネル１２は、前記取付ネジ１５または前記釘と、接着剤とを併用して固定されていてもよく、これにより隣接する相互の外壁パネルの接合力をさらに強固なものとすることができる。
【００５２】
本例では、前記鉄骨系構造材５の外側と前記外壁パネル１２の裏面側との間で、前記軸組材２と前記通気受材１１の間に、前記防水透湿シート１０を介して弾性体１６が設けられている。この弾性体１６は、本例では前記防水透湿シート１０よりも前記通気受材１１側に設けられている。前記弾性体１６は、前記通気受材１１の一面側に積層接着してこれと一体に設けられていてもよく、また前記通気受材１１とは別体になっていてもよい。
【００５３】
ただし、前記弾性体１６は、図示しないが、前記軸組材２と前記通気受材１１の間における、前記防水透湿シート１０よりも前記軸組材２側に設けられていてもよい。
【００５４】
また、前記弾性体１６は、図示しないが、前記通気受材１１と前記外壁パネル１２の間に設けられていてもよい。この場合、前記弾性体１６は、前記通気受材１１の他面側に積層接着してこれと一体に設けられていてもよく、また前記通気受材１１とは別体になっていてもよい。
【００５５】
また、前記弾性体１６は、前記通気受材１１を構成していてもよい。図４は、前記弾性体１６を有して構成された通気受材１１を示す断面図であり、この図４に示すように、前記弾性体１６は、前記通気受材１１を構成する木質積層材の木質単板１１ａの間に設けられて通気受材を構成していてもよい。前記通気受材１１を構成する木質積層材の木質単板１１ａの間に弾性体１６を設ける場合、図４では弾性体１６からなる層は、一層になっているが、複数層であってもよい。
【００５６】
前記弾性体１６としては、たとえば天然ゴム、ブチルゴム等のゴムからなる弾性体を例示できる。また、前記弾性体１６の他の例として、軟質のウレタン樹脂、アクリル樹脂、ポリエチレン樹脂等の樹脂シート、又はこれらの発泡樹脂シート等を好適なものとして例示することができる。もちろん、前記弾性体１６としては、ここに例示した以外の素材からなる弾性体であってもよいものとする。
【００５７】
このように前記弾性体１６を設けることにより、風圧や地震等による外部からの負荷がかかったり、あるいは木質系材料からなる前記外壁パネル１２や前記通気受材１１が、前記鉄骨系構造材５とは材質が異質で湿気に対する寸法変化挙動が全く異なることにより、前記鉄骨系構造材５と前記外壁パネル１２や前記通気受材１１との間でストレスが発生したりして、前記鉄骨系構造材５や前記外壁パネル１２や前記通気受材１１に負荷がかかり、前記鉄骨系構造材５や前記外壁パネル１２や前記通気受材１１に歪みが発生しても、前記弾性体１６がこの歪みを吸収するので、前記外壁パネル１２の表面のクラックの発生を有効に防止可能になる。
【００５８】
つぎに、実施の形態の第二例について説明する。図５は、実施の形態の第二例の鉄骨系外壁構造を示す要部拡大断面図である。
【００５９】
第二例の鉄骨系外壁構造２０は、前記第一例の鉄骨系外壁構造１と基本的構成は同様であるが、鉄骨系構造材５における縦構造材である軸組材２に関する構成が異なっている。すなわち、第一例では、縦構造材である前記軸組材２は単体で設けられているが、本例では、所定の間隔をあけて複数設けられている前記軸組材２のうちの一部の軸組材２又は全ての軸組材２が、単体ではなく断面視Ｃ形の開口部が内方へ向くようにして当接させた状態で２本並設されている。ただし、前記軸組材２が並設される本数は２本に限られるものではない。また、並設された軸組材２は、断面視Ｃ形の開口部が外方へ向くようにして当接させた状態で並設されていてもよい。
【００６０】
本例では、並設された軸組材２と、前記梁３及び前記土台４との接合に用いる正面から見た断面視Ｌ形のアングルで構成される取付具７は、並設された各軸組材２のそれぞれに設けられている。
【００６１】
また、本例では、並設された軸組材２同士の当接箇所を跨ぐようにして、木質積層材からなる通気受材１１が取り付けられている。そして、本例では、前記通気受材１１を取り付けるための取付ネジ１４は、前記２本の軸組材２のそれぞれを貫通するように設けられている。
【００６２】
さらに、本例では、並設された軸組材２と前記通気受材１１との間に、並設された軸組材２を跨ぐようにして、防水透湿シート１０を介して弾性体１６が設けられている。本例でも、前記弾性体１６は、前記防水透湿シート１０よりも前記通気受材１１側に設けられている。ただし、前記弾性体１６が設けられる形態は前記第一例で説明したのと同様にさまざまである。
【００６３】
また、本例では、外壁パネル１２は、隣接する一の外壁パネル１２と他の外壁パネル１２の接合部が、前記通気受材１１の幅の範囲内に位置するようにして取り付けられている。前記外壁パネル１２を取り付けるための取付ネジ１５は、前記２本の軸組材２のそれぞれを貫通するように設けられている。
【００６４】
第二例の鉄骨系外壁構造２０によれば、木質積層材からなる前記通気受材１１が、強度、耐久性に優れ、しかも２本並設された軸組材２を跨ぐように前記通気受材１１が取り付けられ、隣接する一の外壁パネル１２と他の外壁パネル１２の接合部が、前記通気受材１１の幅の範囲内に位置しているので、２本の前記軸組材２、前記通気受材１１、隣接する一の外壁パネル１２と他の外壁パネル１２が一体になり、前記外壁パネル１２の接合部におけるズレや固定不足によって生じる前記外壁パネル１２表面のひび割れやクラックを防止することができる。
【００６５】
以上説明した実施の形態の第一例，第二例では、前記通気受材１１は、縦構造材としての前記軸組材２の上に前記防水透湿シート１０を介して取り付けられているが、前記通気受材１１は、図示しないが、前記縦構造材としての軸組材２の上には取り付けず、横構造材としての前記梁３及び土台４の上に、前記防水透湿シート１０を介して取り付けられていてもよい。また、前記通気受材１１は、図示しないが、縦構造材としての軸組材２と横構造材としての前記梁３及び前記土台４の両方の上に、前記防水透湿シート１０を介して取り付けられていてもよい。
【図面の簡単な説明】
【００６６】
【図１】本発明に係る鉄骨系外壁構造の実施の形態の第一例を示す正面図。
【図２】図１に示す鉄骨系外壁構造のＡ−Ａ線断面図。
【図３】図２の要部拡大断面図。
【図４】弾性体を有して構成された通気受材を示す断面図。
【図５】本発明に係る鉄骨系外壁構造の実施の形態の第二例を示す要部拡大断面図。
【図６】従来の鉄骨系外壁構造の一例を示す水平断面図。
【図７】従来の鉄骨系外壁構造の他例を示す水平断面図。
【図８】従来の鉄骨系外壁構造の他例を示す斜視図。
【符号の説明】
【００６７】
１，２０  鉄骨系外壁構造
２  軸組材
３  梁
４  土台
５  鉄骨系構造材
６  基礎
７  取付具
８  リベット
９  断熱材
１０  防水透湿シート
１１  通気受材
１１ａ  木質単板
１２  外壁パネル
１３  通気路
１４  取付ネジ
１５  取付ネジ
１６  弾性体
５０  鉄骨系外壁構造
５１  軸組材
５２  梁
５３  鉄骨系構造材
５４  取付具
５５  断熱材
５６  下地板
５７  防水透湿シート
５８  通気受材
５９  外壁パネル
６０  通気路
７０  鉄骨系外壁構造
８０  鉄骨系外壁構造
８１  留付金具
８２  内装材
８３  透湿シート
【図１】
2007100445.tif 000003
【図２】
2007100445.tif 000004
【図３】
2007100445.tif 000005
【図４】
2007100445.tif 000006
【図５】
2007100445.tif 000007
【図６】
2007100445.tif 000008
【図７】
2007100445.tif 000009
【図８】
2007100445.tif 000010